(57)【特許請求の範囲】
【請求項１】
家屋の基礎部材と床構造体としての横架材との間に所定の間隔を確保して、前記基礎部材に前記横架材を支持させる床構造体支持具において、
前記基礎部材上に設置され、前記基礎部材に固定可能な基板と、
前記基板の中央部から上方に向けて延び、前記横架材を上下の貫通する孔内に挿入可能な第１ねじロッドと、
前記第１ねじロッドに螺合して取り付けられ、前記第１ねじロッドに沿って昇降することにより、前記横架材を所望の高さ位置にて水平に支持すべく載置可能な板状の横架材受と、
前記横架材受の前記上面に前記第１ねじロッドを囲繞する状態で、前記横架材受と一体的に立設され、前記第１ねじロッドとともに前記横架材の前記孔内に配置可能であるとともに、前記横架材受から前記第１ねじロッドの上端を越えて上方に延びる管状の継手と、
前記継手の上端部に設けられた雌ねじ部と、
前記横架材の前記孔内に挿入可能であって、前記雌ねじ部に螺合される下端部及び前記横架材の上面から突出する上端部を有し、前記第１ねじロッドとは互いに逆ねじとなる第２ねじロッドと、
前記第２ねじロッドの上端部に一体若しくは螺合して取り付けられた押圧体を含み、この押圧体を使用することにより前記横架材受との間に前記横架材を挟み込んで締付け固定する固定手段と
を具備したことを特徴とする床構造体支持具。
【請求項２】
前記横架材受は、円板状をなしていることを特徴する請求項１に記載の床構造体支持具。
【請求項３】
前記第１ねじロッドのねじピッチは、前記第２ねじロッドのねじピッチよりも大であることを特徴とする請求項１又は２に記載の床構造体支持具。
【請求項４】
前記横架材受はその下面に溶着され、前記第１ねじロッドと螺合するナットを更に含むことを特徴とする請求項１〜３の何れかに記載の床構造体支持具。
【請求項５】
前記固定手段は、
内周面が前記第２ねじロッドの上端部を囲み且つ下向きに先細状となる雌テーパ面に形成され、その下面にて前記横架材の上面に押し付けられるアウタリングと、
外周面に前記雌テーパ面と合致する雄テーパ面を有し、前記第２ねじロッドを貫通させて前記アウタリングに嵌合される縮径可能なインナリングと、
前記第２ねじロッドの上端部に前記インナリングよりも上方に位置して螺合された前記押圧体としてのナットと、
前記ナットと前記インナリングとの間に挟み込まれ、前記アウタリングにおける前記雌テーパ面の小径側に前記インナリングを押圧して縮径させて前記第２ねじロッドに締付ける一方、前記アウタリングの前記下面を前記横架材の上面に押圧するバネ部材と
から成ることを特徴とする請求項１〜４の何れかに記載の床構造体支持具。
【請求項６】
前記固定手段は、前記第２ねじ部材の上端に一体に形成された前記押圧体としての頭部と、前記頭部と前記横架材の上面との間に挟み込まれる平ワッシャとからなることを特徴とする請求項１〜４の何れかに記載の床構造体支持具。
【発明の詳細な説明】
【０００１】
【発明の属する技術分野】
本発明は、家屋の床構造体としての土台等の横架材を水平且つ所望の高さ位置に簡単に支持することが可能な床構造体支持具に関する。
【０００２】
【従来の技術】
木造家屋の一般的な基礎構造は、図７に示すように基礎部材としての基礎コンクリート１上に間隔を存して通気用パッキン２を多数載置し、これらの通気用パッキン２上に土台としての横架材３を載置し、当該横架材３のボルト孔３ａ、及びボルト孔３ａの位置に配置されている通気用パッキン２のボルト孔２ａに基礎コンクリート１に垂設した基礎ボルト４を貫通させてナット６により強固に締付固定して構築されている。通気用パッキン２は、基礎コンクリート１と横架材３との間に隙間ｇを設けて床下の通気性（換気性）を確保するものである。
【０００３】
【発明が解決しようとする課題】
家屋の基礎構造において横架材３は、水平に設置することが極めて重要であり、基礎コンクリート１の上面（天端）１ａに通気用パッキン２を介して横架材３を載置する従来構造においては、基礎部材としての基礎コンクリート１の上面１ａを水平に且つ滑らかに形成する所謂天端均しが必要不可欠である。また、横架材３のボルト孔３ａを貫通する基礎ボルト４は、上面１ａに対して垂直に設置することが必要である。このため、基礎コンクリート１の築造に非常に手間が掛かり、且つ熟練を要する。
【０００４】
また、通気用パッキン２は、基礎コンクリート１の上面１ａに載置するために施工性が悪く、多数配置されている通気用パッキン２全体を水平に、且つ正確な高さに位置決めすることが極めて困難である。更に、経年変化に伴い通気用パッキン２が収縮してガタ付いたり、基礎ボルト４により横架材３と共締め固定されていない箇所における通気用パッキン２が振動等により位置ずれしたり、場合によっては脱落する虞もある。
【０００５】
更に、基礎ボルト４が基礎コンクリート１の中央からずれた位置に設置されている場合には、横架材３のボルト孔３ａが中心位置からずれて端寄りに開けられることとなり、強度の低下を来す虞がある等の問題もある。
本発明は、上述の点に鑑みてなされたもので、家屋の基礎構造における床構造体としての横架材を水平に且つ所望の高さに容易に位置決め支持することができる床構造体支持具を提供することを目的とする。
【０００６】
【課題を解決するための手段】
上記目的を達成するため請求項１に係わる床構造支持具は、基礎部材上に設置され、前記基礎部材に固定可能な基板と、前記基板の中央部から上方に向けて延び、前記横架材を上下の貫通する孔内に挿入可能な第１ねじロッドと、前記第１ねじロッドに螺合して取り付けられ、前記第１ねじロッドに沿って昇降することにより、前記横架材を所望の高さ位置にて水平に支持すべく載置可能な板状の横架材受と、前記横架材受の前記上面に前記第１ねじロッドを囲繞する状態で、前記横架材受と一体的に立設され、前記第１ねじロッドとともに前記横架材の前記孔内に配置可能であるとともに、前記横架材受から前記第１ねじロッドの上端を越えて上方に延びる管状の継手と、前記継手の上端部に設けられた雌ねじ部と、前記横架材の前記孔内に挿入可能であって、前記雌ねじ部に螺合される下端部及び前記横架材の上面から突出する上端部を有し、前記第１ねじロッドとは互いに逆ねじとなる第２ねじロッドと、前記第２ねじロッドの上端部に一体若しくは螺合して取り付けられた押圧体を含み、この押圧体を使用することにより前記横架材受との間にて前記横架材を挟み込んで締付け固定する固定手段とから成ることを特徴とする。
【０００７】
請求項１の床構造体支持具によれば、基礎部材に基板を載置して固定し、横架材受を前記基礎部材から所定の高さ位置に設定し、第１ねじロッド、継手及び第２ねじロッドを横架材の孔に挿通して横架材受上に横架材を載置する。これにより、前記横架材を前記基礎部材に水平に且つ所望の高さ位置に簡単に支持することが可能である。
【０００８】
第２ねじロッドが継手に対して昇降自在とすることで、横架材の高さ寸法に応じて固定手段の高さ位置を容易に調整することができる。
更に、第１及び第２ねじロッドは互いに逆ねじであるので、横架材の高さを再調整するため、横架材受がその高さ位置を第１ねじロッドに沿って上昇させるべく継手とともに一方向に回転されると、第２ねじロッドもまた継手の上端部から抜け出る方向、つまり、固定手段の押圧体の締付けが緩む方向に上昇する。それ故、この後、横架材受の回転が継続されれば、第２ねじロッド及び固定手段は横架材受と一緒に供回りし、横架材受と固定手段との間に横架材を挟み込んだままの状態で、横架材の高さの再調整が可能となる。
【０００９】
上述したように横架材の高さ調整の際には、横架材受が回転されることから、横架材受は、円板状をなしているのが好ましく（請求項２）、そして、第１ねじロッドのねじピッチは、前記第２ねじロッドのねじピッチよりも大であるのが好ましい（請求項３）。
具体的には、横架材受はその下面に溶着され、第１ねじロッドと螺合するナットを更に含んでいる（請求項４）。
【００１３】
請求項５に係わる床構造体支持具の固定手段は、内周面が前記第２ねじロッドの上端部を囲み且つ下向きに先細状となる雌テーパ面に形成され、その下面にて前記横架材の上面に押し付けられるアウタリングと、外周面に前記雌テーパ面と合致する雄テーパ面を有し、前記第２ねじロッドを貫通させて前記アウタリングに嵌合される縮径可能なインナリングと、前記第２ねじロッドの上端部に前記インナリングよりも上方に位置して螺合された前記押圧体としてのナットと、前記ナットと前記インナリングとの間に挟み込まれ、前記アウタリングにおける前記雌テーパ面の小径側に前記インナリングを押圧して縮径させて前記第２ねじロッドに締付ける一方、前記アウタリングの前記下面を前記横架材の上面に押圧するバネ部材とから成る。
【００１４】
インナリングは、第２ねじロッドの上端部が挿通された状態で、同じく第２ねじロッドの上端部を囲んでいるアウタリングに嵌合され、そして、インナリングの大径側の上端面がバネ部材によりにアウタリングに対し、その雌テーパ面の小径側に押圧され、これにより、アウタリングは横架材の上面に押圧される。また、インナリングはアウタリングの雌テーパ面にて押圧されることで縮径して前記第２ねじロッドを締め付け、当該位置に固定される。これにより、横架材受に横架材が固定される。横架材が木痩せ等により収縮すると、これに伴いバネ部材によりインナリングが横架材側に押されてアウタリングを前記横架材に押し付けると共に縮径し、前記第２ねじロッドに固定される。これにより、横架材が木痩せ等により収縮しても横架材受に前記横架材を押し付けて固定することができる。
【００１５】
請求項６に係わる床構造体支持具の固定手段は、第２ねじ部材の上端に一体に形成された前記押圧体としての頭部と、前前記頭部と前記横架材の上面との間に挟み込まれる平ワッシャとからなる。このような固定手段であっても、請求項５の固定手段と同様な機能が発揮される。
【００１９】
【発明の実施の形態】
先ず、以下に、床構造体支持具の基本的な構造について図面により詳細に説明する。
図１中、図７に示す構成部材と同一部材には同一符号を付してある。床構造体支持具１０は、基板１１と、基端が基板１１に固定されたボルト１２と、横架材３を載置して所望の高さ位置に水平に支持する横架材受１３と、ねじ部材としての継手１５とボルト１６、及び横架材３を横架材受１３に固定する固定部材２０とにより構成されている。
【００２０】
基板１１は、図２に示すように厚肉の鋼板（鉄板）により円板状に形成されており、上面中央にボルト１２の基端が垂直に溶着固定されている。基板１１のボルト１２の周りには半径方向に延びる長孔１１ａが周方向に複数例えば、３個等配されて設けられている。これらの長孔１１ａは、基礎コンクリート１に設置されている基礎ボルト４が挿通可能とされている。これにより、図示のように基礎ボルト４が２点鎖線で示す基礎コンクリート１の中心からずれた位置に設置されている場合でも基板１１の中心即ち、ボルト１２の中心を基礎コンクリート１の中心に合致させることが可能となり、横架材３の中心位置にボルト孔３ａを開けることができる。ボルト１２は、先端から基端まで全長に亘りねじが刻設されている。
【００２１】
横架材受１３は、厚肉の鋼板（鉄板）により円板状に形成されており、中央にボルト１２が僅かな間隙を存して貫通するボルト孔１３ａが穿設され、下面のボルト孔１３ａの開口端にボルト１２と螺合するナット１４が溶着されている。これらのボルト孔１３ａとナット１４とにより横架材受１３のねじ孔が構成され、横架材受１３は、当該ねじ孔を介してボルト１２に螺合して昇降自在とされ、所望の高さ位置に調節可能とされる。横架材受１３は、支持すべき横架材３の幅と略同じ大きさ（外径）とされており、当該横架材３を確実に載置して水平に支持することが可能とされている。なお、図１に示されるように横架材受１３は横架材３の幅よりも若干短い外径を有していてもよい。
【００２２】
尚、ナット１４は、横架材受１３と別体としても良いが、図示のように溶着して一体とすることで使い勝手がよい。また、横架材受１３の板厚が厚い場合にはボルト孔１３ａの内面に雌ねじを刻設してねじ孔とし、ボルト１２に直接螺合させるようにしても良い。
継手１５は、内径がボルト１２よりも僅かに大径の厚肉の鋼管とされ、上下両端部１５ａ、１５ｂが縮径されて内周面に夫々雌ねじ１５ａ’、１５ｂ’が刻設されている。下端部の雌ねじ１５ｂ’にはボルト１２が螺合可能とされている。ボルト１６は、継手１５の上端の雌ねじ１５ａ’に昇降自在に螺合され、継手１５から上方への突出長さが所望の長さに調節可能とされている。
【００２３】
固定部材２０は、横架材受１３に載置した横架材３を固定するためのもので、アウタリング２１、インナリング２２、ワッシャ２３、２３、バネ部材としてのコイルスプリング２４及び固定用ナット２５から成る。アウタリング２１は、鋼板（鉄板）により例えば、円形状に形成され、中央にボルト１６が貫通し、図中下端から上端に向かって僅かにテーパ状をなして拡径するテーパ孔２１ａが穿設されている。このアウタリング２１は、テーパ孔２１ａの小径端側の端面が横架材３の上面との当接面とされる。
【００２４】
インナリング２２は、ばね性を有し、ボルト１６が僅かな間隙を存して貫通可能な薄肉の略截頭円錐筒形をなし、外周面がテーパ孔２１ａと嵌合するテーパ面とされ、且つ周壁に軸方向に小径端から大径端までスリット（図示せず）が設けられて縮径可能とされ、内周面に図中小径端から大径端方向にボルト１６の挿通（移動）を可能（ボルト１６に対して小径端側が前進する方向に移動可能）とし、反対方向への移動を阻止する係止爪２２ａが周方向に沿い、軸方向に複数例えば、２段刻設されている。このインナリング２２は、テーパ孔２１ａに嵌合され、且つ自由径の状態において大径端がテーパ孔２１ａの上端から僅かに突出している。
【００２５】
コイルスプリング２４は、ワッシャ２３、２３を介してインナリング２２の大径端と固定用ナット２５との間に縮設され、アウタリング２１のテーパ孔２１ａにインナリング２２を押し込む方向にばね力を付与する。尚、バネ部材としてコイルスプリング２４に代えて皿バネを使用してもよい。
以下に作用を説明する。
【００２６】
先ず、作業者は、図１に示すように床構造体支持具１０の基板１１の何れかの長孔１１ａに基礎ボルト４を挿通し、ボルト１２の中心が基礎コンクリート１の中央に位置するように位置決めして基礎コンクリート１上に基板１１を載置し、ナット６により固定する。これにより、基礎ボルト４が基礎コンクリート１の中心からずれた位置に設置されている場合でもボルト１２の中心を基礎コンクリート１の中心に合致させることが可能となる。従って、横架材３の中心位置にボルト１２が挿通するボルト孔３ａを開けることができ、当該横架材３の強度の低下が抑えられる。
【００２７】
次いで、作業者は、横架材受１３を回して基礎コンクリート１の上面１ａから当該横架材受１３の上面までの高さを所定の高さに設定した後、継手１５を回して下降させて下端面を横架材受１３の上面に締め付けて固定する。横架材受１３と継手１５は、ダブルナットの効果によりボルト１２に強固に固定される。これにより、基礎コンクリート１上に横架材受１３を水平に、簡単且つ正確に位置決めすることができる。また、基礎コンクリート１の上面１ａを水平且つ平坦にする所謂天端均し作業が不要となり、施工が容易となる。このようにして、作業者は、基礎コンクリート１に設置されている各基礎ボルト４の位置に床構造体支持具１０を設置し、２点鎖線で示すように横架材３の各ボルト孔３ａに各継手１５及びボルト１６を挿通し、各横架材受１３上に横架材３を載置する。これにより、横架材３が基礎コンクリート１上に水平に且つ所定の高さに簡単且つ水平に位置決め設置される。
【００２８】
この状態において横架材３の下面は、基礎コンクリート１の上面１ａと床下の通気（換気）に必要な間隙を存して対向している。従って、通気用パッキンが不要となり、しかも、横架材３の全長に亘り基礎コンクリート１の上面との間に通気用の間隙が形成され、床下の通気が極めて良好となる。
次に、作業者がボルト１６を回し、横架材３からのボルト１６の突出長さを横架材３の高さに応じて調整する。そして、ボルト１６の突出部に図示のように固定部材２０のアウタリング２１、インナリング２２を取り付け、ワッシャ２３、コイルスプリング２４、ワッシャ２３を介して固定用ナット２５を螺合する。固定用ナット２５を締め付けると、コイルスプリング２４が縮設され、そのばね力によりインナリング２２がアウタリング２１のテーパ孔２１ａに押し込まれ、これに伴い当該インナリング２２がアウタリング２１を押圧しながら縮径して係止爪２２ａがボルト１６の外周面のねじに食い込み、逆方向への移動を阻止して当該位置にアウタリング２１を固定する。これにより、横架材３が横架材受１３に常時押圧固定される。また、コイルスプリング２４のばね力により、固定用ナット２５の緩みが防止される。
【００２９】
インナリング２２は、ボルト１６に対して小径端側が前進する方向（図中下方）に移動可能とされていることで、経年変化により横架材３が木痩せすると、これに伴いインナリング２２がコイルスプリング２４のばね力によりアウタリング２１を押圧しながら移動し、係止爪２２ａによりばね力と釣り合った位置に係止固定される。これにより、木痩せに伴う横架材３のガタ付きや、ナット２４の緩み等が防止される。このようにして固定部材２０が横架材受１３に横架材３を固定する。
【００３０】
また、図１に２点鎖線で示すように横架材３のボルト孔３ａに座ぐり穴３ｂを設け、ボルト１６の上端を横架材３の上面よりも僅かに低く設定して、座ぐり穴３ｂ内に固定部材２０を収納するようにしてもよい。
また、アウタリング２１の下面に係止爪を周方向に沿って複数突出形成し、横架材３の上面に係止するようにしても良い。これにより、ボルト孔３ａがボルト１６に対して多少大きめの孔であってもアウタリング２１の横ズレを防止することができる。更に、固定部材２０に代えてワッシャ或いはスプリングワッシャと固定用ナット２５により横架材３を固定するようにしても良い。
【００３１】
図３は、床構造体支持具の他の基本構造を示す。
図３の床構造体支持具３０は、横架材３を固定する固定部材として長尺のナット３１を使用したものである。ナット３１は、内径がボルト１２よりも僅かに小径の厚肉鋼管の内周面に全長に亘りボルト１２と螺合する雌ねじ部３１ａが刻設されており、上端に平ワッシャを兼ねた板状のフランジ部３１ｂと、当該フランジ部３１ｂの上面にレンチ等で銜えて回すための多角形部例えば、六角部３１ｃとが一体に設けられている。また、ボルト１２には横架材受１３の下側にロックナット３２が螺合されている。
【００３２】
この床構造体支持具３０は、２点鎖線で示す基礎コンクリート１上に載置されて、基板１１が基礎ボルト４にナット６により固定され、横架材受１３が所定の高さ位置に位置決めされ、ロックナット３２が締め付けられて固定される。次いで、横架材３のボルト孔３ａにボルト１２を挿通させながら横架材受１３上に当該横架材３が載置され、ボルト孔３ａの上方からナット３１が挿入されてボルト１２に螺合され、六角部３１ｃにより締め付け固定される。これにより、横架材３が基礎コンクリート１上に設置される。
【００３３】
尚、ナット３１は、六角部３１ｃに代えてフランジ部３１ｂの上面に小孔を離隔して２個設け、これらの小孔に係合する２つの突起を有する冶具により締め付けるようにしても良い。このようにすると、横架材３のボルト孔３ａの上部を僅かに座ぐるだけで、ナット３１のフランジ部３１ｂを横架材３の上面と面一にし、又は上面よりも低くすることができ、横架材３の強度の低下を押さえることができると共に作業性の向上が図られる。
【００３４】
図４は、本発明に係る床構造体支持具の第１の実施形態を示す。
この第１の実施形態を説明するにあたり、前述した基本構造の床構造支持具の構成要素と同様な構成要素には同一の参照符号が付されている。
図４の床構造体支持具３５は、基端が基板１１の上面中央に固定されて立設されたボルト（第１ねじロッド）３６に昇降自在に螺合された横架材受１３と、ボルト（第２ねじロッド）１６と、固定手段としての固定部材２０とを備えている。横架材受１３の下面には、ボルト孔１３ａの下側開口端にてボルト３６と螺合するナット３７が溶着され、その上面にはボルト孔１３ａの上側開口端にて継手３８の下端が溶着されている。継手３８は、内径がボルト３６よりも僅かに大径の厚肉の鋼管とされ、上部３８ａが縮径されて内周面にボルト１６と螺合する雌ねじ部３８ａ’が刻設されている。そして、ボルト３６のねじ部３６ａとボルト１６のねじ部１６ａとは互いに逆ねじとされている。例えば、ボルト３６のねじ部３６ａが左ねじ、ボルト１６のねじ部１６ａが右ねじとされている。従って、ナット３７の雌ねじ部も左ねじである。また、下側のボルト３６のねじ部３６ａ及び上側のボルト１６のねじ部１６ａのピッチは互いに異なり、ボルト３６のねじ部３６ａのピッチは、ボルト１６のねじ部１６ａのピッチよりも大きい。
【００３５】
この床構造体支持具３５は、２点鎖線で示す基礎コンクリート１上に載置されて、基板１１が基礎ボルト４にナット６により固定され、横架材受１３が所定の高さ位置に位置決めされ、ロックナット３９が締め付けられて固定される。次に、作業者は、ボルト１６を回してその上部を横架材３の上方に突出させ、固定部材２０のアウタリング２１、インナリング２２を取り付け、ワッシャ２３、コイルスプリング２４、ワッシャ２３を介して固定用ナット２５を締め付け、横架材３を横架材受１３に押圧固定する。尚、横架材３のボルト孔３ａは、座ぐり穴としてもよい。また、固定部材としては、固定部材２０に代えて単にワッシャとナットを使用してもよい。
【００３６】
ところで、地盤の変化例えば、地盤沈下により基礎コンクリート１が沈下した場合、これに伴い横架材３が下降し、従って、当該横架材３の高さを再調整することが必要となる。このような場合には、横架材受１３に溶着されたナット３７を右に回すことで当該横架材受１３がボルト３６に対して上動（上昇）し、横架材３を押し上げる。この際、横架材３を締め付けているボルト１６及び固定用ナット２５が右ねじであるので、ボルト１６が右回転し、横架材３の上面に対するアウタリング２１の締付けが僅かに緩むが、しかしながら、ボルト１６は直ちに横架材受１３と一体に回転する継手３８と一緒に供回りし、アウタリング２１の締付けが必要以上に緩むことがない。また、ボルト３６は、ねじ部３６ａのピッチが大きく設定されていることで、横架材受３６を僅かに回転させるだけで大きく上動させることができ、作業性の向上が図られる。尚、下側のボルト３６を左ねじ、上側のボルト１６を右ねじとしたが、これとは反対に、下側のボルト３６を右ねじ、上側のボルト１６を左ねじとしてもよい。
【００３７】
図５は、本発明に係る床構造体支持具の第２の実施形態を示す。第２の実施形態における床構造体支持具４０は、図４に示す第１の実施形態のボルト１６及び固定部材２０に代えてボルト４１を使用している。即ち、横架材３のボルト孔３ａの上方から平ワッシャ４２を通じてボルト４１を挿入し、継手３８のねじ部３８ａ’に螺合させることで、平ワッシャ４２を介して横架材３を締め付け固定する。これにより横架材３を簡単に固定することができ、部品点数の低減が図られる。また、作業性が向上する。尚、横架材３のボルト孔３ａは、座ぐり穴としても良い。
【００３８】
図６は、本発明の実施形態ではないが、参考例としての床構造体支持具を示す。
図６の床構造体支持具４５は、基板１１の上面中央に厚肉の鋼管（以下「支柱」という）４６の下端が溶着されて垂設されており、上部４６ａが僅かに縮径されて内周面に雌ねじ部４６ａ’が設けられている。この雌ねじ部４６ａ’は、例えば、左ねじとされている。
ボルト４７は、長尺とされ、中央部４７ｃが角形（例えば、４角形）とされてレンチ等により銜えて回転可能とされ、下部４７ａが支柱４６の上部４６ａの雌ねじ部４６ａ’と螺合する左ねじ４７ａ’とされ、上部４７ｂが右ねじ４７ｂ’とされている。そして、下部４７ａの左ねじ部４７ａ’のピッチが上部４７ｂの右ねじ部４７ｂ’のピッチよりも大きくされている。このボルト４７は、下部４７ａが支柱４６の雌ねじ部４６ａ’に螺合され、支柱４６に対して昇降自在とされると共にロックナット４８により支柱４６に固定可能とされている。ロックナット４８は、ハンドル４９が溶着されており、当該ハンドル４９により容易に回転し得るようになっている。
【００３９】
横架材受１３は、ナット１４によりボルト４７の上部４７ｂに昇降可能に取り付けられていると共に、ロックナット５０によりボルト４７に固定可能とされている。ロックナット５０には、ハンドル５１が溶着されており、当該ハンドル５１により横架材受１３を容易に回転し得るようになっている。そして、ボルト４７の上部に固定部材２０が装着される。
上記構成の床構造体支持具４５を使用する場合、作業者は、２点鎖線で示す基礎コンクリート１上に基板１１を載置して基礎ボルト４にナット６により固定した後、ボルト４７を回して基礎コンクリート１の上面からボルト４７の上端までの全高を決め、支柱４６に対してボルト４７をロックナット４８により固定する。次に、作業者は、横架材受１３を所定の高さ位置に位置決めし、ボルト４７に対してロックナット５０により当該高さ位置に固定する。
【００４０】
次いで、横架材３のボルト孔３ａにボルト４７の上部４７ｂを挿通させながら横架材受１３上に当該横架材３を載置する。この状態においてボルト４７の上部が横架材３の上面から僅かに突出する。次に、作業者は、ボルト４７の上端部にアウタリング２１、インナリング２２を取り付け、ワッシャ２３、コイルスプリング２４、ワッシャ２３を介して固定用ナット２５を締め付ける。これにより、横架材３が横架材受１３に常時押圧固定され、且つコイルスプリング２４のばね力により、ナット２５の緩みが防止される。
【００４１】
前述したように地盤沈下等により基礎コンクリート１が沈下して横架材３の高さを再調整する場合には、作業者は、ロックナット４８、５０を緩めた後、ボルト４７の中央部４７ｃをレンチで銜えて右に回す。ボルト４７の右方向の回転に伴い当該ボルト４７が支柱４６から抜け出しながら上昇する。ボルト４７の上部４７ｂは右ねじであり、当該ボルト４７の前記右方向の回転に伴い横架材受１３が上昇して横架材３を押し上げる。このとき横架材３は、固定部材２０により固定されている。ボルト４７の下部４７ａの左ねじ４７ａ'は、上部４７ｂの右ねじ４７ｂ'よりもピッチが大きく設定されているためにボルト４７を僅かに回転させることで横架材３を大きく上昇させることができる。尚、横架材３のボルト孔３ａは、座ぐり穴としてもよい。また、固定部材としては、固定部材２０に代えて単にワッシャとボルトを使用してもよい。
【００４２】
【発明の効果】
以上説明したように、本発明によれば、家屋の床構造を構成する横架材を水平に且つ所望の高さ位置に簡単に支持することが可能となる。また、基礎部材としての基礎コンクリートの天端均し作業が不要となり、前記基礎コンクリートの築造が容易となり、作業性の大幅な向上が図られる。更に、前記基礎コンクリートの天端と土台との間に通気性を確保するために介在させる通気用パッキンが不要となり、作業性の向上、コストの低減等が図られる。また、構造が簡単であり、安価に提供することができる。更に、地盤沈下を受けて基礎コンクリートが沈下し、基礎コンクリートに対する前記横架材の高さ調整が再度必要になっても、この再調整を容易に行うことができる。
【図面の簡単な説明】
【図１】  本発明を説明するにあたり、床構造体支持具の基本構造を示す断面図である。
【図２】  図１に示す床構造体支持具の基板の平面図である。
【図３】  図１の床構造体支持具とは異なる床構造体支持具の他の基本構造を示す断面図である。
【図４】  本発明に係る床構造体支持具の第１の実施形態を示す断面図である。
【図５】  本発明に係る床構造体支持具の第２の実施形態を示す断面図である。
【図６】  参考例としての床構造体支持具の構造を示す断面図である。
【図７】  従来の木造家屋の床構造における基礎コンクリートと土台との関係を示す説明図である。
【符号の説明】
１  基礎コンクリート（基礎部材）
３  横架材（土台）
４  基礎ボルト
３５、４０  床構造体支持具
１１  基板
１３  横架材受
１６  ボルト（第２ねじロッド）
２０  固定部材（固定手段）
３６  ボルト（第１ねじロッド）
３８ 継手
４１  ボルト（第２ねじロッド）
４２  平ワッシャ
【図１】
0003945634.tif 000002
【図２】
0003945634.tif 000003
【図３】
0003945634.tif 000004
【図４】
0003945634.tif 000005
【図５】
0003945634.tif 000006
【図６】
0003945634.tif 000007
【図７】
0003945634.tif 000008